(57)【特許請求の範囲】
【請求項１】
棟部中心の屋根下地（９０）上に、棒状の受部材（２２）と、該受部材（２２）上に止金具（２５），（２６）を介して取付けられ、上面に瓦（６），（８）を載置する棟芯材（１）とを棟部に沿って取付けた構造において、上記止金具（２５），（２６）を、棟芯材（１）の受部材（２２）方向に係止する押え板（２５ｂ），（２６ｂ）と、該押え板（２５ｂ），（２６ｂ）と交差し棟芯材（１）の方向に屈曲する上下方向のウェブ部（２５ａ），（２６ａ）と、該ウェブ部（２５ａ），（２６ａ）の下端側で上記受部材（２２）の底部側に係止されるフック部（２５ｄ），（２６ｄ）とで構成してなる、瓦屋根における棟芯材の取付け構造。
【請求項２】
押え板（２６ｂ）とウェブ部（２６ａ）とがＬ字形に交差し、押え板（２６ｂ）に棟芯材（１）の端部を固定してなる請求項１に記載の瓦屋根における棟芯材の取付構造。
【請求項３】
押え板（２５ｂ）とウェブ部（２５ａ）とがＴ字状に交差し、ウェブ部（２５ａ）と接合する二本の棟芯材（１）の接合端間に介挿し、ウェブ部（２５ａ）の両側の押え板（２５ｂ）に隣接する棟芯材（１）の端部を連結固定する請求項１に記載の瓦屋根における棟芯材の取付構造。
【請求項４】
受部材（２２）が中空のパイプからなる請求項１，２又は３に記載の瓦屋根における棟芯材の取付構造。
【請求項５】
受部材（２２）の上側周壁にフック部（２５ｄ），（２６ｄ）の先端が挿入係止される係止孔（２４）を形成してなる請求項４に記載の瓦屋根における棟芯材の取付構造。
【請求項６】
受部材（２２）が中空のパイプからなり、該パイプの上側周壁にフック部（２５ｄ）とウェブ部（２５ａ）とを挿入して該パイプ内へ臨ませる通し孔（２３）を形成してなる請求項３に記載の瓦屋根における棟芯材の取付構造。
【発明の詳細な説明】
【０００１】
【発明の属する技術分野】
本発明は一般的には瓦屋根における棟芯材の取付構造に関するものであり、さらに具体的には、乾式の陸棟や隅棟における棟芯材の取付構造に関するものである。
【０００２】
【従来の技術】
後記特許文献１及び同文献２（図１及び図２）に記載されているように、従来の瓦屋根の乾式棟における棟芯材の取付構造では、下部の取付ベースの上に軸部又は胴部を介して水平な溝状の受部材を取り付けた取付具が使用されている。
すなわち、軸部又は胴部が棟に対して垂直になるように前記取付ベースを棟部の屋根下地にねじ止め固定することにより、棟部に対して受部材が一定のレベルになるように取付具を所定の間隔に取り付け、各取付具の受部材の内部に棟芯材を案内し、受部材と棟芯材とを釘（ねじ釘）止めしている。
【０００３】
【特許文献１】
特開２００１−１５２６１３号公報
【特許文献２】
特許第２６２７５８９号公報
【０００４】
【発明が解決しようとする課題】
一般的に棟部に対する棟芯材の取付レベルは低いので、棟部に取り付けた各取付具の受部材に棟芯材を固定するときは、作業上、受部材の上に載置した棟芯材の側方又は上方から行われるように構成する必要がある。
ところで、前記従来技術では、棟芯材がいずれも角材であるので前記の取付構造でも作業上差し支えない。しかしながら、例えば角材状の本体の両側部に長さ方向に沿ってフランジ（通常このフランジには、水平棟である陸棟ではフランジの下面を塞ぐ面戸瓦の上部がねじ止めされ、傾斜棟である隅棟ではモルタルの化粧面戸が垂れ下げ状に塗工される。）が一体に形成された棟芯材を使用する場合には、従来のような取付構造では、棟部に取り付けられた取付具の受部材に棟芯材を固定するのが困難である。
【０００５】
本発明の目的は、棟芯材がその側部に前述のようなフランジや他の部分を有していても、棟部へ棟芯材を円滑に取り付けることができる瓦屋根における棟芯材の取付構造を提供することにある。
【０００６】
【課題を解決する手段】
本発明に係る瓦屋根における棟芯材の取付構造は、前述の課題を解決するため以下のように構成したものである。
すなわち、請求項１に記載の瓦屋根における棟芯材の取付構造は、棟部中心の屋根下地９０上に、棒状の受部材２２と、該受部材２２上に止金具２５，２６を介して取付けられ、上面に瓦６，８を載置する棟芯材１とを棟部に沿って取付けた構造において、上記止金具２５，２６を、棟芯材１の受部材２２方向に係止する押え板２５ｂ，２６ｂと、該押え板２５ｂ，２６ｂと交差し棟芯材１の方向に屈曲する上下方向のウェブ部２５ａ，２６ａと、該ウェブ部２５ａ，２６ａの下端側で上記受部材２２の底部側に係止されるフック部２５ｄ，２６ｄとで構成したことを特徴とすしている。
【０００７】
請求項２に記載の瓦屋根における棟芯材の取付構造は、請求項１の取付構造において、押え板２６ｂとウェブ部２６ａとがＬ字形に交差し、押え板２６ｂに棟芯材１の端部を固定したことを特徴としている。
【０００８】
請求項３に記載の瓦屋根における棟芯材の取付構造は、請求項１の取付構造において、押え板２５ｂとウェブ部２５ａとがＴ字状に交差し、ウェブ部２５ａと接合する二本の棟芯材１の接合端間に介挿し、ウェブ部２５ａの両側の押え板２５ｂに隣接する棟芯材１の端部を連結固定することを特徴としている。
【０００９】
請求項４に記載の瓦屋根における棟芯材の取付構造は、請求項１，２又は３の取付構造において、受部材２２が中空のパイプからなることを特徴としている。
【００１０】
請求項５に記載の瓦屋根における棟芯材の取付構造は、請求項４の取付構造において、受部材２２の上側周壁にフック部２５ｄ，２６ｄの先端が挿入係止される係止孔２４を形成してなることを特徴としている。
【００１１】
請求項６に記載の瓦屋根における棟芯材の取付構造は、請求項３の取付構造において、受部材２２が中空のパイプからなり、該パイプの上側周壁にフック部２５ｄとウェブ部２５ａとを挿入して該パイプ内へ臨ませる通し孔２３を形成し他ことを特徴としている。
【００１２】
【発明の実施の形態】
以下図面を参照しながら、本発明に係る棟芯材の取付構造の好ましい実施形態を説明する。
第１実施形態
図１は本発明に係る実施形態の取付構造を陸棟に実施した施工構造の部分断面図、図２は棟芯材と取付具との関係を分解して示した部分分解正面図、図３（ａ）図は取付具の斜視図、同（ｂ）図は一方の止金具の斜視図、同（ｃ）図は他の止金具の斜視図、図４は各取付具への棟芯材の固定状態を示す部分拡大側断面図、図５（ｄ）図は保持体の部分分解斜視図、同（ｅ）図は保持体における板状本体の他の形態を示す部分斜視図、図６は棟芯材のフランジに保持体を取り付けた状態の部分側面図である。
【００１３】
第１実施形態の瓦屋根における棟芯材の取付構造を含む棟構造に付いて、施工の手順に沿って説明する。
棟の両側の流れ面には、既に桟木９１等に桟瓦９が釘（ねじ釘）止めされた状態で葺かれている。
先ず、棟部の一方の端部から他方の端部に向かい、棟部に沿って屋根下地９０上に棟芯材１の長さに合わせた間隔で取付具２を配置し、各取付具２へ棟芯材１の端部を相互に連続するように載置する。
【００１４】
この実施形態において、棟芯材１は角柱状の芯本体１０とその両側部に長さ方向に沿って一体に形成されたフランジ１１とから構成されている。芯本体１０の下面には長さ方向に沿って案内溝１２が形成され、この案内溝１２の両側下部には側方へ先下が状に傾斜した案内面１２ａ（図２）が形成されている。
前記案内溝１２の内底と芯本体１０の上面には小溝１４，１５が形成され、フランジ１１の下面には蟻溝状の取付溝１３が形成されている。
棟芯材１は、乾燥した木材チップを微細に粉砕した木材パウダーをプラスチックと配合して一体成形した、いわゆる木質材料によって構成されている。この実施形態では、棟芯材１のプラスチック材料として再生ポリスチレンが使用されている。
棟芯材１の長さは、後述の熨斗瓦５の長さや施工の作業性等を考慮して設計されるが、この実施形態では２０００ｍｍ程度に設計されている。
【００１５】
各取付具２は、中央部に下向きの溝状部２０ａを有する金属板からなる取付ベース２０と、溝状部２０ａに上下方向へ貫通状に固定されたスリーブ状のナット２１ａ及びボルト２１ｂからなる伸縮調整可能な軸部２１と、当該軸部２１の上端部へ水平に取り付けられた中空のパイプからなるの棒状の受部材２２とから構成されている。受部材２２は、芯本体１０の下面に形成された前記案内溝１２へほぼ適合して案内できる寸法である。この受部材２２は、軸部２１の上端部へ回転自在に取り付けるのが好ましい。
取付ベース２０の溝状部２０ａ以外の部分には、図３（ａ）図のように多数のねじ釘を通す孔２０ｂが形成されている。
【００１６】
この実施形態では、後述のように取付具２や止金具２５，２６を使用して棟芯材１を棟部へ連続的に取り付ける前に、棟芯材１のフランジ１１へ保持体３を垂れ下げ状に取り付ける。
保持体３は、取付状態において下方の桟瓦９の上面形状に適合して変形するような柔軟性を有する部材である。保持体３は、図５の（ｄ）図のように、例えば発泡ウレタンからなるスポンジやゴムスポンジからなる板状本体３０と、板状本体３０の一方の長辺部に沿って固定された塩化ビニール等の硬質のプラスチックからなる縁材３１とから構成されている。
板状本体３０は、縁材３１が固定されている側を背として櫛状に多数の歯状片３０ａが形成されている。
板状本体３０は縁材３１の下面に長さ方向に沿って形成された溝３１ａヘ接着され、縁材３１の幅は板状本体３０の肉厚よりもやや広いため、縁材３１の両側部は長さ方向に沿うフランジ状になっている。この縁材３１を棟芯材１におけるフランジ１１の取付溝１３に差し込むことにより、保持体３を前記フランジ１１ヘ垂れ下げ状に取り付ける。
板状本体３０には、前述のように多数の歯状片３０ａを形成することに代えて、図５の（ｅ）図で示すように多数の孔３０ｂを形成したものでも実施することができる。
【００１７】
各取付具２は、棟部の一方の端部から他方の端部に向かい、棟部に沿って屋根下地９０の上に棟芯材１の長さに合わせた間隔で配置され、それぞれの受部材２２をボルト２１ｂの部分でねじ回してレベルを調整した後、各取付具２へ棟芯材１の端部を相互に連続するように載置しながら、各取付具２を棟部に固定するとともに、各取付具２の受部材２２へ棟芯材１の端部を固定する。
棟芯材１相互の連続部では、当該連続部と軸部２１とが当該軸部２１の軸方向へほぼ一致する状態で一個の取付具２を配置する。
各取付具２は、両側の取付ベース２０を棟部の屋根下地９０の傾斜に合わせ、軸部２１が棟部に対してほぼ垂直になる状態で、当該取付ベース２０を屋根下地９０ヘ釘（ねじ釘）止めすることにより、それぞれ棟部に固定される。
【００１８】
棟芯材１相互の連続部において、当該棟芯材１相互の端部を取付具２の受部材２２に固定するには、図３の（ｂ）図で示すような止金具２５が使用され、棟部の端部において、各取付具２の受部材２２へ対応する棟芯材１の端部を固定するには、図３の（ｃ）で示す止金具２６が使用される。
一方の止金具２５は、垂直方向のウェブ部２５ａとその上端部両側の押え板２５ｂ，２５ｂとがＴ字形に交差した形態であり、ウェブ部２５ａの下端部一側方には先端に係止爪２５ｃを有するフック部２５ｄが形成されている。
他方の止金具２６は垂直方向のウェブ部２６ａとその上端部一側の押え板２６ｂとがＬ字形に交差した形態であり、ウェブ部２６ａの下端部には、先端に係止爪２６ｃを有するフック部２６ｄが押え板２６ｂと平行するように形成されている。
【００１９】
図３及び図４で示すように、受部材２２の上側周壁には、中央部に前記止金具５のウェブ部２５ａとフック部２５ｄを上から挿入して内部に臨ませる通し孔２３が形成され、両端寄り位置には、各フック部２５ｄ，２６ｄの係止爪２５ｃ，２６ｃを係止する係止孔２４，２４とが形成されている。
図４で示すように、棟の端部においては、止金具２６の係止爪２６ｃを受部材２２の孔２４に通してフック部２６ｄを受部材２２に係止させ、ウェブ部２６ａを棟芯材１の端部に接触させた状態で、押え板２６ｂをねじ釘２７により上方より棟芯材１の上に釘止めすることにより、当該棟芯材１の端部を取付具２の受部材２２に固定する。
また、棟芯材１相互の連続部においては、止金具２５のウェブ部２５ａとフック部２５ｄとを上方より受部材２２の通し孔２３に通し、係止爪２５ｃを受部材２２の係止孔２４に通してフック部２５ｄを受部材２２に係止させ、ウェブ部２５ａを各棟芯材１の両端間に介挿した状態で、各押え板２５ｂをそれぞれねじ釘２７により上方より対応する棟芯材１の上に釘止めすることにより、各棟芯材１の端部を取付具２の受部材２２に固定する。
以上の棟芯材１の取付状態では、図４のように各係止爪２５ｃ，２６ｃは案内溝１２内の小溝１４に突出して棟芯材１と干渉せず、また、各押え板２５ｂ，２６ｂ及びそれらを釘止めするねじ釘２７の頭部は棟芯材１の上部の小溝１５内に没入し、後述する熨斗瓦等と干渉しないようになっている。
【００２０】
以上のように棟芯材１を棟部に固定状態に取り付けると、保持体３の板状本体３０は柔軟性があるので、図６のように多数の歯状片３０ａは下方の桟瓦９の上面の凹凸に適合変形して接触する。この状態で、例えば吹付けガンなどにより保持体３に発泡性のプラスチック（この実施形態ではウレタン）４を吹き付け発泡させ、これを保持体３の板状本体３０に万遍なく塗り付ける要領で保持させる。プラスチック４は発泡により膨張し、間もなく固まって壁状になり、壁芯材１のフランジ１１と桟瓦９との隙間を塞ぐので、当該隙間が防水される。
次いで、フランジ１１の上に面戸瓦５の上端部をねじ釘５ａにより固定し、発泡固化したプラスチック４の壁の外側を当該面戸瓦５で塞ぐ。
【００２１】
後は通常の乾式瓦屋根の棟組み工法と同様に、左右一体型の大型の熨斗瓦６と小型の熨斗瓦６０とを芯材１の上に適当層重ね積みし、最上部の熨斗瓦の６０の上に沿って押え材７を置き、押え材７と棟芯材１とをステンレス製のねじ釘７０で締め付けることにより、各熨斗瓦６，６０を芯材１へ固定する。６ａ，６０ａは、それぞれの熨斗瓦６，６０に所定の間隔に形成されているねじ釘の通し孔である。
さらに、最上段の熨斗瓦６０の上に冠瓦８を被せ、この冠瓦８を頭部にパッキンを有するねじ８０により押え材７に固定する。
前記施工の際上下の熨斗瓦６，６０相互は、長さ方向に並べた相互の接触部が交互に位置するように重ねられる。
【００２２】
前記実施形態の棟芯材の取付構造によれば、第１に、棟芯材の両側部に長さ方向に沿ってフランジやその他の部分を有していても、受部材に対して棟芯材を当該棟芯材の上方より円滑に固定することができる。
第２に、棟芯材はプラスチックに木材パウダーを配合した木質材料であるので、腐食せず耐久性があるとともに、他の部材を釘止めするのが容易である。
第３に、取付具の受部材は棟芯材の長さ方向に沿う角パイプであるので、当該受部材が丈夫であるとともに、各止金具を当該受部材に係止するときに係止し易い。
第４に、棟芯材の上面には、止金具の押え板や釘の頭部が没入する溝が形成されているので、当該棟芯材の上部へ熨斗瓦を重ねるときに押え板や釘の頭部が干渉しない。
第５に、棟芯材の下面には受部材が案内される案内溝が形成されているので、受部材と棟芯材との位置決めが容易である。
第６に、前記案内溝の下側部には側方へ下り傾斜した案内面が形成されているので、受部材に対する棟芯材の位置決めがさらに容易になる。
【００２３】
第１実施形態では、隣合う棟芯材１相互の端部を一つの取付具２の受部材２２へ固定し、同時に棟芯材１相互を連結するように構成しているが、各棟芯材１の両端部をそれぞれ取付具2で支持させ、各端部を止金具２６を使用して受部材２２に固定しても実施することができる。
【００２４】
第２実施形態
図７は本発明に係る実施形態の取付構造を隅棟に実施した棟構造の断面図である。
隅棟の両側の流れには、屋根下地９０に桟瓦９がねじ釘などにより固定状態で葺かれており、隅棟に沿う部分には棟芯材１が第１実施形態と同様な要領により取り付けられている。
棟芯材１は、第１実施形態の棟芯材とはフランジ１１の形状を若干異にしており、フランジ１１の上面は傾斜面ではなく水平面であり、当該上面には長さ方向に沿って溝又は突条１１ａが形成されている。.
この実施形態では、棟芯材１を隅棟に取り付けた状態では、フランジ１１と下の桟瓦９との間が大きくなっているので、棟芯材１を屋根下地９０に固定した後、保持体３をフランジに取り付けることができる。
【００２５】
第１実施形態とほぼ同様に、保持体３にプラスチック４を吹き付けて発泡保持させ、当該プラスチック４の壁によりフランジ１１と桟瓦９との隙間を塞ぎ、発泡したプラスチック４が固まった後、プラスチック４の壁の外側から前記フランジ１１の上面にわたる部分に化粧モルタル５０を塗工する。このとき、化粧モルタル５０が溝又は突条１１ａを覆う状態に塗工し、化粧モルタル５０を溝又は突条１１ａへ絡ませて強固な塗工状態が得られるようにしている。
その後、第１実施形態とほぼ同様に芯材１の上に適数段の熨斗瓦６，６０を重ね積みするとともに、押え材７とねじ７０によりそれらを棟芯材１に固定し、その上部に冠瓦８を固定して隅棟の施工を完了する。
この実施形態の棟芯材の取付構造の他の構成や作用効果は、第１実施形態の止水工法とほぼ同様であるので、それらの説明は省略する。
【００２６】
第３実施形態
第１実施形態においては、熨斗瓦６を安定させるため、図８で示すように面戸瓦５と熨斗瓦６との間に生モルタルによる枕材５１を長さ方向に沿って設けることができる。
図７で示した第２実施形態においても、化粧モルタル５０と熨斗瓦６との間に図８の枕材と同様な枕材を設けることができる。この場合には、図７の棟芯材１の本体１０の上下方向の厚みを厚く形成する。
【００２７】
第４実施形態
前記各実施形態においては、図９で示すように、熨斗瓦を省略して棟芯材１の上に大サイズの冠瓦８を被せ、これをねじ釘８０により棟芯材１に固定することができる。図１又は図８の実施形態において熨斗瓦を省略し、棟芯材１の上に大サイズの冠瓦を被せる場合には、当該冠瓦が面戸瓦５を覆う状態になる。
【００２８】
【発明の効果】
請求項１の発明に係る取付構造によれば、棟芯材の両側部に長さ方向に沿ってフランジやその他の部分を有していても、受部材に対して棟芯材を当該棟芯材の上方より円滑に固定することができる。
【００２９】
請求項２の発明に係る取付構造によれば、止金具のウェブ部と押え板とがＬ字形に交差しているので、棟部の端部において受部材に棟芯材の端部を要領良く簡単に固定することができる。
【００３０】
請求項３の発明に係る取付構造によれば、止金具のウェブ部と押え板とがＴ字形に交差しているので、棟芯材相互の連続部で棟芯材相互の端部を受部材に要領良く簡単に固定することができる。
【００３１】
請求項４の発明に係る取付構造によれば、受部材が中空のパイプであるので丈夫である。
【００３２】
請求項５の発明に係る取付構造によれば、パイプからなる受部材に止金具のフック部を簡単に係止することができる。
【００３３】
請求項６の発明に係る取付構造によれば、棟芯材相互の連続部において、止金具のフック部を受部材に簡単に係止することができる。
【図面の簡単な説明】
【図１】本発明に係る実施形態の取付構造を陸棟（水平棟）に実施した棟構造の部分断面図である。
【図２】棟芯材と取付具との関係を分解して示した部分分解正面図である。
【図３】（ａ）図は取付具の斜視図、同（ｂ）図は一方の止金具の斜視図、同（ｃ）図は他の止金具の斜視図である。
【図４】各取付具への棟芯材の固定状態を示す部分拡大側断面図である。
【図５】（ｄ）図は保持体の部分分解斜視図、（ｅ）図は保持体における板状本体の他の形態を示す部分斜視図である。
【図６】棟芯材のフランジに保持体を取り付けた状態の部分側面図である。
【図７】本発明に係る第２実施形態の取付構造を示す部分断面図である。
【図８】本発明に係る第３実施形態の取付構造を示す部分断面図である。
【図９】本発明に係る第４実施形態の取付構造を示す部分断面図である。
【符号の説明】
１  棟芯材
１０  芯本体
１１  フランジ
１１ａ  溝又は突条
１２  溝
１３  取付溝
１４，１５  溝
２  取付具
２０  取付ベース
２１  シャフト
２１ａ  ナット
２１ｂ  ボルト
２２  受部材
２３，２４  孔
２５，２６  止金具
２５ａ，２６ａ  ウェブ部
２５ｂ，２６ｂ  押え板
２５ｃ，２６ｃ  係止爪
２５ｄ，２６ｄ  フック部
２７  ねじ釘
３  保持体
３０  板状本体
３１  縁材
４  発泡したプラスチック
５  面戸瓦
５０  化粧モルタル
６，６０  熨斗瓦
７  押え材
８  冠瓦
９  桟瓦
９０  屋根下地
【図１】
0003727931.tif 000002
【図２】
0003727931.tif 000003
【図３】
0003727931.tif 000004
【図４】
0003727931.tif 000005
【図５】
0003727931.tif 000006
【図６】
0003727931.tif 000007
【図７】
0003727931.tif 000008
【図８】
0003727931.tif 000009
【図９】
0003727931.tif 000010